(57)【要約】【課題】  簡素な装置と簡易なやり方で正確なタペットクリアランスを設定することができるタペットクリアランスの設定方法を提供する。【解決手段】  アジャストネジ５をねじ込んでバルブ１０をシリンダヘッド側へ任意の移動量（Ａ）だけ移動させる第１工程と、バルブ１０をシリンダヘッド側へ任意の移動量（Ａ）だけ移動させた状態で、カムシャフト３を回動させてタペット２を揺動させ、更にバルブ１０をシリンダヘッド側へ任意の移動量（Ｂ）だけ移動させる第２工程と、バルブ１０をシリンダヘッド側へ任意の移動量（Ａ＋Ｂ）だけ移動させた状態で、アジャストネジ５を戻してバルブ１０をバルブシート１１側に前記任意の移動量（Ａ）と要求されるタペットクリアランス量（ＣＬ）だけ移動させ、アジャストネジ５をロックナット９で固定する第３工程からなり、バルブ１０の移動量は測定手段８により測定される。【選択図】        図１
2011058438.tif 000002
【特許請求の範囲】
【請求項１】
アジャストネジをねじ込んでバルブをシリンダヘッド側へ任意の移動量（Ａ）だけ移動させる第１工程と、バルブをシリンダヘッド側へ任意の移動量（Ａ）だけ移動させた状態で、カムシャフトを回動させてタペットを揺動させ、更にバルブをシリンダヘッド側へ任意の移動量（Ｂ）だけ移動させる第２工程と、バルブをシリンダヘッド側へ任意の移動量（Ａ＋Ｂ）だけ移動させた状態で、アジャストネジを戻してバルブをバルブシート側に前記任意の移動量（Ａ）と要求されるタペットクリアランス量（ＣＬ）だけ移動させ、アジャストネジをロックナットで固定する第３工程からなり、前記バルブの移動量は測定手段により測定されることを特徴とするタペットクリアランスの設定方法。
【請求項２】
前記第２工程における任意の移動量（Ｂ）は、移動量（Ｂ）≧移動量（Ａ）＋タペットクリアランス量（ＣＬ）の関係にある請求項１記載のタペットクリアランスの設定方法。
【請求項３】
前記第１工程ではタペットがカムのベース面に当接状態にあり、前記第２工程ではタペットがカムのベース面以外の面に当接状態にある請求項１又は２記載のタペットクリアランスの設定方法。
【発明の詳細な説明】
【技術分野】
【０００１】
本発明は、バルブステムとタペットのクリアランスを設定するタペットクリアランスの設定方法に関する。
【背景技術】
【０００２】
従来のタペットクリアランスの設定方法としては、初めにアジャストネジをねじ込んでバルブの頭部をバルブシートから少し離し、次いでアジャストネジを逆回転させてバルブの頭部をバルブシートに当接させ、この時のトルクの変化を基準にして再度必要なクリアランスを得るためにアジャストネジを適量の角度だけ逆回転させることでクリアランスを決定し、ナットを締め付けてアジャストネジを固定する方法が知られている。
【０００３】
また、初めにアジャストネジを追い込んでこれをバルブステムに当接させ、このタペットクリアランスがゼロの状態でカムシャフトを回転させてバルブ最大リフト量を求め、次いで予め設定されたクリアランス量だけアジャストネジを戻し、その上で再度カムシャフトを回転させてバルブ最大リフト量を求め、最後に両バルブ最大リフト量の差を求め、これを最終的なタペットクリアランスとしてアジャストネジを追い込むか戻すかして正しく調整するようにした技術が知られている（例えば、特許文献１参照）。
【先行技術文献】
【特許文献】
【０００４】
【特許文献１】特開平０６−１２３２０６号公報
【発明の概要】
【発明が解決しようとする課題】
【０００５】
しかし、前者のようなクリアランスの決定の仕方は、バルブがバルブシートに当接した後はアジャストネジの後退量を回転角で求めることから、アジャストネジの精度によっては実際のクリアランス量とは異なることがあるため、その後に隙間ゲージなどを用いて確認する必要が生じていた。また、最終的にアジャストネジでクリアランスを決定した後に、アジャストネジを固定するためにナットを締め付ける際に、僅かにアジャストネジが回転してしまい、それまでに決定したクリアランスが変化するという不具合があった。
【０００６】
また、特許文献１に記載の技術においては、最初にアジャストネジをバルブステムに当接させた点が曖昧であるために、クリアランス決定後に調整を必要とする場合があるという問題がある。
【０００７】
本発明は、従来の技術が有するこのような問題点に鑑みてなされたものであり、その目的とするところは、簡素な装置と簡易なやり方で正確なタペットクリアランスを設定することができるタペットクリアランスの設定方法を提供しようとするものである。
【課題を解決するための手段】
【０００８】
上記課題を解決すべく請求項１に係る発明は、アジャストネジをねじ込んでバルブをシリンダヘッド側へ任意の移動量（Ａ）だけ移動させる第１工程と、バルブをシリンダヘッド側へ任意の移動量（Ａ）だけ移動させた状態で、カムシャフトを回動させてタペットを揺動させ、更にバルブをシリンダヘッド側へ任意の移動量（Ｂ）だけ移動させる第２工程と、バルブをシリンダヘッド側へ任意の移動量（Ａ＋Ｂ）だけ移動させた状態で、アジャストネジを戻してバルブをバルブシート側に前記任意の移動量（Ａ）と要求されるタペットクリアランス量（ＣＬ）だけ移動させ、アジャストネジをロックナットで固定する第３工程からなり、前記バルブの移動量は測定手段により測定されるものである。
【０００９】
前記第２工程における任意の移動量（Ｂ）は、移動量（Ｂ）≧移動量（Ａ）＋タペットクリアランス量（ＣＬ）の関係にあるのが好ましい。
【００１０】
前記第１工程ではタペットがカムのベース面に当接状態にあり、前記第２工程ではタペットがカムのベース面以外の面に当接状態にあるのが好ましい。
【発明の効果】
【００１１】
本発明によれば、タペットクリアランスをバルブの実際の移動量によって決定するので、従来の方法に比べて正確にタペットクリアランスを設定することができる。また、アジャストネジの操作によりタペットクリアランスを決定した後に、ナットでアジャストネジを固定した状態までバルブの移動量を測定手段により測定するので、正確なタペットクリアランスを設定することができる。
【００１２】
バルブの移動量を測定する測定手段を用いるだけで、アジャストネジによるバルブの追い込み及びカムシャフトの回動によるバルブの追い込みを厳密に行う必要がないため、簡素な装置で且つ簡便な方法で正確なタペットクリアランスを設定することができる。
【００１３】
カムシャフトを回動させてバルブを移動させるため、バルブに嵌装しているステムシールなどの嵌合部品との組合せ状態がなじみ、正確なタペットクリアランスの設定が行える。
【図面の簡単な説明】
【００１４】
【図１】本発明に係るタペットクリアランスの設定方法の説明図で、（ａ）は初期状態、（ｂ）は第１工程終了状態、（ｃ）は第２工程終了状態、（ｄ）は第３工程終了状態
【図２】タペットクリアランスが設定された状態の説明図
【発明を実施するための形態】
【００１５】
以下に本発明の実施の形態を添付図面に基づいて説明する。先ず、図１（ａ）に示すように、軸１を中心として揺動自在なタペット２の一端をカムシャフト３に形成されたカム４のベース面４ａに当接させ、タペット２の他端に螺合するアジャストネジ５をバルブステム６の端部に隙間Ｇを介して対向させる。なお、タペット２は常に弾性体（不図示）によってカム４に当接状態にある。
【００１６】
また、バルブステム６と一体に組み付けられたスプリングシート７の上方には、直線移動量を検出するマグネスケールなどの測定手段８が設置され、測定手段８のプローブ８ａがスプリングシート７の上面に当接状態にある。そして、アジャストネジ５が進退動できるようロックナット９は弛めてある。１０はバルブステム６に連設するバルブ、１１はバルブシートである。
【００１７】
次いで、図１（ｂ）に示すように、ドライバ装置（不図示）によってアジャストネジ５をねじ込んでバルブステム６を任意の移動量（Ａ）押し込む（第１工程）。この時、測定手段８はバルブ１０の移動量をスプリングシート７、バルブステム６を介して正確に把握している。
【００１８】
次いで、図１（ｃ）に示すように、駆動装置（不図示）によってカムシャフト３を少し回動させ、それまでカム４のベース面４ａに当接していたタペット２の一端をカム４のベース面４ａ以外の面であるトップ面４ｂに当接させて、バルブステム６を更に任意の移動量（Ｂ）押し込む（第２工程）。移動量（Ｂ）は、移動量（Ｂ）≧移動量（Ａ）＋タペットクリアランス量（ＣＬ）、の関係にある。この時も、測定手段８はバルブ１０の移動量をスプリングシート７、バルブステム６を介して正確に把握している。
【００１９】
次いで、バルブ１０がシリンダヘッド側に移動量（Ａ）と移動量（Ｂ）だけ押し込まれた状態で、図１（ｄ）に示すように、アジャストネジ５をドライバ装置（不図示）によって逆回転させ、第１工程で押し込まれた移動量（Ａ）と要求されるタペットクリアランス量（ＣＬ）分だけ戻す。
【００２０】
そして、戻した移動量が適正と測定手段８が判断すると、ドライバ装置（不図示）を囲むように設けられているナットランナのソケット（不図示）によりロックナット９が締め付けられ、アジャストネジ５が固定される（第３工程）。この時、測定手段８はロックナット９の締付が完了した時点で、再度バルブ１０の移動量を測定してタペットクリアランス量の良否を判断する。
【００２１】
ロックナット９の締付が完了した後、タペットクリアランス量が適正であると測定手段８が判断すると、駆動装置（不図示）によってカムシャフト３を回動させて、カム４の姿勢を、図１（ａ）に示す状態に戻す。すると、図２に示すように、アジャストネジ５とバルブステム６の端部との間に要求されるタペットクリアランス量（ＣＬ）を満たすクリアランスが形成される。
【００２２】
また、ロックナット９の締付によってアジャストネジ５が動いたりして、タペットクリアランス量が規定値から外れた場合にはロックナット９を弛め、再度ロックナット９を締め付ける動作を規定回数行い、それでも規定値に入らない場合は、異常として警報を発する。なお、作業のサイクルタイムによっては規定値に入らない場合は直ちに警報を発してライン外に作業対象ワークを移動させてもよい。
【００２３】
このように、測定手段８がバルブ１０の移動量を常に測定しているので、ロックナット９の締付が完了した後もタペットクリアランスの変化を確実に把握することができ、正確なタペットクリアランスを設定することが可能になる。
【産業上の利用可能性】
【００２４】
本発明によれば、バルブの移動量を測定する測定手段を用いるだけで、アジャストネジによるバルブの追い込み及びカムシャフトの回動によるバルブの追い込みを厳密に行う必要がなく、簡素な装置で且つ簡便な方法で正確なタペットクリアランスを設定することができる。
【符号の説明】
【００２５】
１…軸、２…タペット、３…カムシャフト、４…カム、４ａ…ベース面、４ｂ…トップ面、５…アジャストネジ、６…バルブステム、７…スプリングシート、８…測定手段、９…ロックナット、１０…バルブ、１１…バルブシート。
【図１】
2011058438.tif 000003
【図２】
2011058438.tif 000004